(57)【要約】【課題】立壁部における水の乗り越えを抑制することができるヘアキャッチャーを提供する。【解決手段】ヘアキャッチャー１００は、流れ込む水が通過する上縁部１０から立ち上がり、上縁部１０に沿って形成される立壁部５を備える。立壁部５は、基端部５５ａと、上端部５５ｃとの間の中途部５５ｂに対して上端部５５ｃが外側へ張り出すように形成されている。【選択図】図４
2020165161.tif 000002
【特許請求の範囲】
【請求項１】
流れ込む水が通過する上縁部から立ち上がり、前記上縁部に沿って形成される立壁部を備えるヘアキャッチャーであって、
前記立壁部は、基端部と上端部との間の中途部に対して前記上端部が外側へ張り出すように形成されていることを特徴とするヘアキャッチャー。
【請求項２】
前記立壁部の外側面は、前記立壁部の高さ方向を含み前記外側面に交差する断面において、外側に対して凹となる円弧状に形成されていることを特徴とする請求項１に記載のヘアキャッチャー。
【請求項３】
前記中途部は、前記基端部よりも内側に位置することを特徴とする請求項１または２に記載のヘアキャッチャー。
【請求項４】
前記上縁部から底部にかけて形成され、前記上縁部から前記底部へ水を導く導水面を有する水切り部を備え、
前記中途部から外側へ張り出す前記上端部は、前記導水面の前記上縁部における一端部まで前記上縁部に沿って延びるように設けられていることを特徴とする請求項１から３のいずれか１項に記載のヘアキャッチャー。
【発明の詳細な説明】
【技術分野】
【０００１】
本発明は、例えば浴室における洗い場床の排水部に配設されるヘアキャッチャーに関する。
【背景技術】
【０００２】
浴室の洗い場床や洗面台等の排水口には、髪の毛やゴミなどで排水管が詰まることを防ぐためにヘアキャッチャーが設けられている。例えば、特許文献１には、流入した排水を保水する凹状の保水部と、保水部の上部から延出し、排水中の髪の毛の流出を抑止しながら保水部に入りきらない排水を流出させる上部排水流出部と、洗い場床からの排水を保水部へ導く排水導入部と、上部排水流出部の外側に配置された立壁部とを備えるヘアキャッチャーが開示されている。
【先行技術文献】
【特許文献】
【０００３】
【特許文献１】特開２０１１−１６３１１６号公報
【発明の概要】
【発明が解決しようとする課題】
【０００４】
特許文献１に記載のヘアキャッチャーは、保水部で生じる旋回流によって髪の毛をまとめることで除去し易くしたものであるが、立壁部を乗り越えて保水部へ水が流入すると、乗り越えた水によって旋回流に乱れが生じてしまうという問題点があった。
【０００５】
本発明は、斯かる事情に鑑みてなされたものであり、その目的とするところは、立壁部における水の乗り越えを抑制することができるヘアキャッチャーを提供することにある。
【課題を解決するための手段】
【０００６】
本発明に係るヘアキャッチャーは、流れ込む水が通過する上縁部から立ち上がり、前記上縁部に沿って形成される立壁部を備えるヘアキャッチャーであって、前記立壁部は、基端部と上端部との間の中途部に対して前記上端部が外側へ張り出すように形成されていることを特徴とする。
【発明の効果】
【０００７】
本発明によれば、立壁部における水の乗り越えを抑制することができる。
【図面の簡単な説明】
【０００８】
【図１】実施形態に係るヘアキャッチャーの外観を示す斜視図である。
【図２】ヘアキャッチャーの側面図である。
【図３】ヘアキャッチャーの平面図である。
【図４】立壁部を別の角度から見た外観斜視図である。
【図５】立壁部の縦断面図である。
【図６】立壁部および導水面を拡大した外観斜視図である。
【図７】図７（ａ）および図７（ｂ）は立壁部における水の流れについて説明するための模式図である。
【図８】図８（ａ）〜図８（ｄ）は、変形例に係る立壁部の縦断面を示す模式図である。
【発明を実施するための形態】
【０００９】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態）
図１、図２を参照する。ヘアキャッチャー１００は、水切り部１および立壁部５を備える。水切り部１は、上縁部１０、リブ構造３、通流孔４および貯水部２を有し、椀状に形成されている。水切り部１は、例えば皿状および深皿状等に形成されていてもよく、全体として円柱状、錐台状または半球状などの様々な形状とすることができる。
【００１１】
ヘアキャッチャー１００は、図２に示すように洗い場床８に設けられた排水口８１に設置され、上方を蓋体８２で覆われる。図２に示す例では、洗い場床８の孔部に取り付けられたフランジ部８０の内側面に爪８１ａが設けられており、上縁部１０に設けた係止部１０ａを爪８１ａに係止させて、ヘアキャッチャー１００を取り付けている。洗い場床８からの水は、立壁部５によって規制されて水切り部１へ流れ込む。尚、図２において、洗い場床８、排水口８１および蓋体８２は断面で表されている。
【００１２】
上縁部１０は円環状であり、リブ構造３によって貯水部２と接続される。洗い場床８からの水は上縁部１０を通って水切り部１の内側に流れ込む。リブ構造３は、複数の縦リブ３１および複数の横リブ３２を有し、上縁部１０と貯水部２とを接続する。縦リブ３１は貯水部２から上縁部１０へ放射状に延びており、上縁部１０から水切り部１の中央へ向かうにつれて下降する勾配を有している。縦リブ３１の勾配は、一定であっても変化してもよい。
【００１３】
図３を参照する。横リブ３２は、複数の縦リブ３１を周方向につなぐ円環状であり、貯水部２側から上方へ向かうにつれて内径が大きくなる。隣り合う縦リブ３１および隣り合う横リブ３２の間に通流孔４が形成されている。
【００１４】
通流孔４は、水切り部１の内外を貫通するように設けられている。通流孔４には、水切り部１の内側における開口部４１の一部を覆うように排水抵抗部４２が形成されている。排水抵抗部４２は、開口部４１の縦リブ３１における縁部４１ａよりも、周方向において通流孔４の中央へ張り出すように設けられている。
【００１５】
排水抵抗部４２は、通流孔４内に臨み、外部水流を水切り部１の内側に誘導する外部水流誘導面４２ａを有する。外部水流誘導面４２ａは、水切り部１の内側から外側に向かうにつれて外部水流の上流側へ延びるように傾斜する面として形成されており、水切り部１の外側で流れる外部水流を水切り部１の内側に引き込む。尚、排水抵抗部４２は、外部水流誘導面４２ａを有しない構成であってもよい。
【００１６】
排水抵抗部４２は、上縁部１０と貯水部２との間に形成される通流孔４の全てに設けられている。例えば、排水抵抗部４２は、上縁部１０に連なる上部に形成される通流孔４に設けられ、貯水部２側に近い通流孔４には設けないような構成としてもよい。また排水抵抗部４２は、水切り部１において設けられていなくてもよい。
【００１７】
貯水部２は、底部２０、水抜き孔２１および側面部２２を有し、椀状に形成されている。貯水部２は、例えば皿状および深皿状等に形成されていてもよく、全体として円柱状、錐台状または半球状などの様々な形状とすることができる。水抜き孔２１は、貯水部２における側面部２２の下端部に横方向に内外を貫通するように設けられている。
【００１８】
立壁部５は、上縁部１０から立ち上がるように上縁部１０に沿って円弧状に形成されており、２つの回転対象な第１立壁部５０および第２立壁部５５で構成されている。第１立壁部５０の導入端部５１および第２立壁部の終端部５７は、間隔を空けて対向しており、両者間に洗い場床８からの導水路が形成される。同様に、第２立壁部５５の導入端部５６および第１立壁部の終端部５２は、間隔を空けて対向しており、両者の間に洗い場床８からの導水路が形成される。
【００１９】
立壁部５における導入端部５１および５６は、水切り部１の内側へ延びるように設けられている。導入端部５１および５６は、水切り部１の下方向に向かうにつれて、周方向の一側へ延びるように傾斜している。導入端部５１および５６は、水切り部１の下方向に向かうにつれて、上方から見て時計まわりの方向へ延びるように傾斜している。
【００２０】
立壁部５における導入端部５１と終端部５７との間において、上縁部１０から貯水部２へ延びる導水面６が形成されている。また同様に導入端部５６と終端部５２との間において、上縁部１０から貯水部２へ延びる導水面６が形成されている。導水面６は、下方向に向かうにつれて、周方向の一側へ延びるように傾斜している。導水面６は、導入端部５１および５６と同様に、水切り部１の下方向に向かうにつれて、上方から見て時計まわり方向へ延びるように傾斜している。尚、図３に示す水切り部１では導水面６に通流孔４が設けられていないが、疎らに通流孔４を設けるようにしてもよい。
【００２１】
図４を参照する。第１立壁部５０および第２立壁部５５の外側面は、ヘアキャッチャー１００へ到達した水を誘導する水流誘導面５３および水流誘導面５８を形成する。第１立壁部５０の水流誘導面５３は、終端部５２から導入端部５１に亘って形成されている。第２立壁部５５の水流誘導面５８は、終端部５７から導入端部５６に亘って形成されている。
【００２２】
図５を参照する。図５は立壁部５の高さ方向を含み外側面に直交する断面を示している。第１立壁部５０の水流誘導面５３は、基端部５０ａから上端部５０ｃに亘って外側に対して凹となる円弧状に形成されている。同様に、第２立壁部５５の水流誘導面５８は、基端部５５ａから上端部５５ｃに亘って外側に対して凹となる円弧状に形成されている。
【００２３】
第１立壁部５０の上端部５０ｃは、上縁部１０から立ち上がる基端部５０ａと上端部５０ｃとの間の中途部５０ｂに対して外側に張り出してオーバーハングしている。同様に、第２立壁部５５の上端部５５ｃは、上縁部１０から立ち上がる基端部５５ａと上端部５５ｃとの間の中途部５５ｂに対して外側に張り出してオーバーハングしている。第１立壁部５０の内側面５０ｄおよび第２立壁部５５の内側面５５ｄは、上縁部１０から立ち上がり、鉛直方向に平行な面となっている。尚、例えば図３に示す平面視したヘアキャッチャー１００の中心側を内側、径方向に中心から遠ざかる側を外側としている。
【００２４】
図６を参照する。導水面６は、第１立壁部５０と第２立壁部５５とで挟まれる上縁部１０における入り口６０から貯水部２へ延びている。導水面６の入り口６０は、上述のように立壁部５における導入端部５１および５６が内側へ延びるように形成されていることで、周方向に幅広に形成されており、導入端部５１および５６側の端部６０ａでは、内側に立壁部が残っている。導水面６の入り口６０における終端部５２および５７側の端部６０ｂでは、各終端部が上縁部１０上で止まっている。
【００２５】
第１立壁部５０における水流誘導面５３は、導入端部５１側において導水面６の入り口６０における端部６０ａまで延びている。同様に、第２立壁部５５における水流誘導面５８は、導入端部５６側において導水面６の入り口６０における端部６０ａまで延びている。尚、水流誘導面５３および５８は、それぞれ導入端部５１および５６側において更に延びて、ヘアキャッチャー１００の内側に入り込むように設けられていてもよい。
【００２６】
次に実施形態に係るヘアキャッチャー１００の動作について説明する。ヘアキャッチャー１００の上縁部１０から水切り部１の上部に流れ込んだ水は、導水面６に沿ってヘアキャッチャー１００の内側を流下し、図３に矢印で示すように旋回流を発生する。水切り部１の内側を流下する水は、その一部が図３に矢印Ｑ１で示すように通流孔４を通して水切り部１の外側に排水される。水切り部１の内側を流下する水は、通流孔４に設けられた排水抵抗部４２によって排水が制限されるため、矢印Ｑ２で示すように水切り部１の内側に留まって流下することで、旋回流が発生し易くなる。
【００２７】
排水抵抗部４２は、通流孔４の開口部４１のうち、水が流れ込む方向の先にある縦リブ３１における縁部４１ａの側において、周方向に通流孔４の中央へ張り出すように設けられている。このため、水切り部１の内側を流下する水が排水抵抗部４２に当たって水切り部１の内側に戻され易くなる。
【００２８】
ヘアキャッチャー１００は、水切り部１の内側において旋回流が発生することで、髪の毛等を貯水部２にまとめ、清掃が容易になる。貯水部２には、水抜き孔２１が設けられている。旋回流発生時には水の一部が水抜き孔２１から抜けつつも貯水部２に水が貯まった状態となり、水の流れ込みが止んだ後、貯水部２に貯まった水が時間経過とともに水抜き孔２１から排水される。
【００２９】
立壁部５は、導入端部５１および終端部５７の間の導入路、並びに、導入端部５６および終端部５２の間の導入路を通して、洗い場床８からの水を水切り部１の内側へ導入する。導入端部５１および５６は、水切り部１の内面に沿う下方向に向かうにつれて、上方から見て時計まわりの方向へ延びるように傾斜していることで、時計まわりの旋回流の発生を促進する。
【００３０】
図７（ａ）および図７（ｂ）を参照する。第１立壁部５０の上端部５０ｃおよび第２立壁部５５の上端部５５ｃは、それぞれ中途部５０ｂおよび５５ｂに対して外側に張り出してオーバーハングしているので、図７（ａ）に示す矢印のように、外側へ水を返し、水が立壁部５を乗り越えることを抑制することができる。
【００３１】
水流誘導面５３および５８は、それぞれ基端部５０ａから上端部５０ｃ、および基端部５５ａから上端部５５ｃに亘って外側に対して凹となる円弧状に形成されている。これにより、図７（ｂ）に矢印で示す立壁部５に沿う水の流れが良くなり髪の毛等が立壁部５で付着することが抑制される。また、水流誘導面５３および５８は、導水面６の入り口６０における端部６０ａまで延びており、立壁部５に沿って水を確実に導水面６まで流すことができる。
【００３２】
（変形例）
図８（ａ）〜図８（ｄ）を参照する。図８（ａ）に示す立壁部５は、ヘアキャッチャー１００の内側に対して凸となる円弧状に形成されている。立壁部５は、中途部５０ｂおよび５５ｂが基端部５０ａおよび５５ａよりもヘアキャッチャー１００の内側に位置しており、内側に対してオーバーハングした形状となっている。これにより、立壁部５は、内側を流れる水が上昇した場合に内側へ水を返すよう機能する。尚、例えば図３に示す平面視したヘアキャッチャー１００の中心側を内側、径方向に中心から遠ざかる側を外側としている。
【００３３】
図８（ｂ）に示す立壁部５は、中途部５０ｂおよび５５ｂにおいて屈曲し、ヘアキャッチャー１００の内側に対して凸状に形成されている。立壁部５は、図８（ａ）の変形例と同様に、ヘアキャッチャー１００の内側に対してオーバーハングした形状となり、内側を流れる水が上昇した場合に内側へ水を返すよう機能する。また、立壁部５の外側面は中途部５０ｂおよび５５ｂにおいて屈曲した水流誘導面５３および５８を形成している。立壁部５は、上端部５０ｃおよび５５ｃが外側へオーバーハングしており、水を返すよう機能する。
【００３４】
図８（ｃ）に示す立壁部５は、中途部５０ｂおよび５５ｂが鉛直方向に延び上端部５０ｃおよび５５ｃが外方向へ屈曲するように形成されている。この場合も、立壁部５は、上端部５０ｃおよび５５ｃが外側へオーバーハングしており、水を返すよう機能する。また、図８（ｄ）に示す立壁部５は、中途部５０ｂおよび５５ｂが上方へ向かうにつれて外側へ延びるように傾斜している。この場合も、立壁部５は、上端部５０ｃおよび５５ｃが外側へオーバーハングしており、水を返すよう機能する。
【００３５】
上述の実施形態および変形例では、上方から見て時計まわりに旋回流が発生する例を示したが、上方から見て反時計まわりに旋回流が発生するように構成してもよい。また、導水面６が設けられていない場合でも、立壁部５は、上端部５０ｃおよび５５ｃが外側へオーバーハングすることで水を返すよう機能し、水流誘導面５３および５８によって導水面６に対応する部分へ水を確実に流すことができる。
【００３６】
次に、実施形態および変形例のヘアキャッチャー１００の特徴を説明する。
本発明の各実施形態および変形例のヘアキャッチャー１００は、流れ込む水が通過する上縁部１０から立ち上がり、上縁部１０に沿って形成される立壁部５を備える。立壁部５は、基端部５０ａ（または基端部５５ａ）と、上端部５０ｃ（または上端部５５ｃ）との間の中途部５０ｂ（または中途部５５ｂ）に対して上端部５０ｃ（または上端部５５ｃ）が外側へ張り出すように形成されている。これにより、ヘアキャッチャー１００は、立壁部５における水の乗り越えを抑制することができる。
【００３７】
また、立壁部５の外側面としての水流誘導面５３および５８は、立壁部５の高さ方向を含み前記外側面に交差する断面において、外側に対して凹となる円弧状に形成されている。これにより、ヘアキャッチャー１００は、立壁部５に沿う水の流れが良くなり髪の毛等が立壁部５で付着することが抑制される。
【００３８】
また、中途部５０ｂ（または中途部５５ｂ）は、基端部５０ａ（または基端部５５ａ）よりも内側に位置する。これにより、ヘアキャッチャー１００は、内側を流れる水が上昇した場合に内側へ水を返すよう機能する。
【００３９】
またヘアキャッチャー１００は、上縁部１０から底部２０にかけて形成され、上縁部１０から底部２０へ水を導く導水面６を有する水切り部１を備える。外側へ張り出す上端部５０ｃ（または上端部５５ｃ）は、導水面６の上縁部１０における端部６０ａまで上縁部１０に沿って延びるように設けられている。これにより、ヘアキャッチャー１００は、立壁部５に沿って水を確実に導水面６まで流すことができる。
【００４０】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４１】
１  水切り部、  １０  上縁部、  ２０  底部、  ５  立壁部、
５０ａ，５５ａ  基端部、  ５０ｂ，５５ｂ  中途部、  ５０ｃ，５５ｃ  上端部、
６  導水面、  １００  ヘアキャッチャー。
【図１】
2020165161.tif 000003
【図２】
2020165161.tif 000004
【図３】
2020165161.tif 000005
【図４】
2020165161.tif 000006
【図５】
2020165161.tif 000007
【図６】
2020165161.tif 000008
【図７】
2020165161.tif 000009
【図８】
2020165161.tif 000010